(57)【特許請求の範囲】
【請求項１】
外被が磁性体を含有することにより、磁気的に情報の記録ができる機能を備えた光ケーブルにおいて、前記外被が２層構造であって、前記外被の最外層が磁性体を含有することを特徴とする光ケーブル。
【請求項２】
外被表面に磁性体を配置することにより、磁気的に情報の記録ができる機能を備えた光ケーブルにおいて、外被表面の長さ方向に可視的に識別可能なマークを設け、前記マークが磁性体を含有することにより、磁気的に情報の記録ができる機能を備えていることを特徴とする光ケーブル。
【請求項３】
外被直下のケーブルコア上に、磁気的に情報の記録ができる記録媒体を設けた光ケーブルにおいて、外被表面の長さ方向に可視的に識別可能なマークを設け、前記外被直下の前記マークと対向する位置に磁気的に情報の記録ができる帯状の記録媒体を設けたことを特徴とする光ケーブル。
【発明の詳細な説明】
【０００１】
【発明の属する技術分野】
本発明は光ケーブルに係り、特に、光ケーブル自体の長さ方向に磁気的に情報の記録できる機能を備えた光ケーブルに関するものである。
【０００２】
【従来の技術】
従来より、光ケーブルを布設した際には、各光ファイバの伝送損失量を測定し、メンテナンス等の際に各光ファイバの伝送損失の増加の有無や増加量を把握するための基礎データとして、これらの伝送損失量を作業員が布設現場で記録用紙に記録している。また、メンテナンス等の際には、再度各光ファイバの伝送損失量を測定し、前回測定した各光ファイバの伝送損失量と比較してその増加の程度を確認するとともに、新たに測定した各光ファイバの伝送損失データを作業員が布設現場で記録用紙に記録し、各光ファイバの損失データの書き換えを行っている。
【０００３】
また、上述した損失データの管理とは別に、メンテナンスや後分岐等のために、ケーブルの接続状況等の布設形態を記載した「タグ」をケーブルに取付けて記録する場合もある。
【０００４】
【発明が解決しようとする課題】
ところが、上述した従来の技術にあっては、各光ファイバの損失データの記録が布設現場での作業員による手書の作業となるため、作業性の点から改善が求められており、特に、近年のように多条布設や多心ケーブルが実用化されると、記録すべきデータも膨大な量となるため、その要請もより一層顕著であった。また、メンテナンス等の際には、前回測定した各光ファイバの損失データの記録を作業現場へ持参しなければならず面倒であった。
【０００５】
また、ケーブルの布設形態を記載した「タグ」をケーブルに取付けた場合には、マンホールや洞道内に侵入した第三者が「タグ」を見ることにより、ケーブルの布設形態を容易に把握することができるため、ケーブル線路の保安の面からも必ずしも好ましいものとは言えず、このような情報を第三者が容易にアクセスできない形態で光ケーブルに記録できる技術が求められていた。
【０００６】
そこで、本発明は、上記実情を考慮して案出されたものであり、各光ファイバの伝送損失データ等を布施現場で容易に記録及び読み出しを行うことができるとともに、記録されている情報を第三者が容易にアクセスすることができず、ケーブル線路の保安の面からも好ましい光ケーブルを提供することを目的とする。
【０００７】
【課題を解決するための手段】
前記課題を解決するため、本発明のうち請求項１に記載した発明は、外被が磁性体を含有することにより、磁気的に情報の記録ができる機能を備えた光ケーブルにおいて、前記外被が２層構造であって、前記外被の最外層が磁性体を含有することを特徴とする。
【０００８】
また、請求項２に記載の発明は、外被表面に磁性体を配置することにより、磁気的に情報の記録ができる機能を備えた光ケーブルにおいて、外被表面の長さ方向に可視的に識別可能なマークを設け、前記マークが磁性体を含有することにより、磁気的に情報の記録ができる機能を備えていることを特徴とする。
【０００９】
また、請求項３に記載の発明は、外被直下のケーブルコア上に、磁気的に情報の記録ができる記録媒体を設けた光ケーブルにおいて、外被表面の長さ方向に可視的に識別可能なマークを設け、前記外被直下の前記マークと対向する位置に磁気的に情報の記録ができる帯状の記録媒体を設けたことを特徴とする。
【００１２】
【発明の実施の形態】
以下、本発明の実施の形態を添付図面に基づいて説明する。
【００１３】
図１は第１の実施の形態に係る光ケーブルの断面を示す模式図、図２は第２の実施の形態に係る光ケーブルの断面を示す模式図、図３は第３の実施の形態に係る光ケーブルの断面を示す模式図である。尚、各図において同一の部材には同一の符号を付してその説明を省略する。
【００１４】
図１に示すように、光ケーブル１０は、中心にテンションメンバ１を備えたスロットロッド２を有しており、このスロットロッド２には、光テープ心線３を収容するための溝４，４…が周方向に形成され、この各溝４，４…内には、光テープ心線３，３…が積層されている。また、スロットロッド２の外周には、吸水テープ５が巻回されており、この吸水テープ５の上にはポリエチレン外被６が被覆されている。
【００１５】
本実施の形態では、ポリエチレン外被６は、外層６ａと内層６ｂの２層構造を有しており、外層６ａには磁性体が含有されて磁気的に情報の記録ができる機能を備えている。この機能を備えるためには、外層６ａ内に体積分率で３０％程度の磁性体を含有する必要があり、磁性体としては、ガンマー酸化鉄（γ‐Ｆｅ2Ｏ3）が用いられ、ベースとなるポリエチレンが硬化する前に磁界強度が数１０エルステッドの磁場を印加して磁性体を配向させている。尚、磁性体としては、他に二酸化クロム（ＣｒＯ2）、コバルト被着ガンマー酸化鉄（Ｃｏ‐γ‐Ｆｅ2Ｏ3）等を用いることもできる。
【００１６】
以上の構成において、光ケーブル１０は、磁気的に情報の記録ができる機能を備えた外層６ａを有しているため、公知の磁気カード用リード・ライト装置を用いて各光ファイバの伝送損失データ等を布施現場で容易に記録及び読み出すことできる。また、記録されている情報の内容が目視で確認できないため、第三者が容易にアクセスすることもできず、ケーブル線路の保安の面からも好ましい。
【００１７】
尚、記録する情報としては、各光ファイバの伝送損失データや接続状況、光ケーブルの配線図、条長及び心数並びに製造業者や工事業者等が例示できる。
【００１８】
また、本実施の形態では、ポリエチレン外被６を外層６ａと内層６ｂの２層構造とし、外層６ａに磁性体が含有されているため、ポリエチレン外被６を１層構造とし、その全体に磁性体が含有される場合と比較して、磁性体の使用量を少なくすることができる。
【００１９】
図２に示す第２の実施の形態に係る光ケーブル２０では、ポリエチレン外被６は１層構造であるが、ポリエチレン外被６の表層部の長さ方向にポリエチレン外被６と異なる色彩のマーク層６Ｃが埋め込まれており、このマーク層６Ｃに磁性体が含有されて磁気的に情報の記録ができる機能を備えている。
【００２０】
この光ケーブル２０によれば、ポリエチレン外被６のどの位置に情報の記録ができるかを容易に把握することができるとともに、ポリエチレン外被６の表層の一部のみに磁性体が含有され、ポリエチレン外被６の大部分は従来と同一の材料で構成されるため、ポリエチレン外被６の信頼性に影響を及ぼすこともない。
【００２１】
また、マーク層６Ｃにのみ磁性体が含有されているため、磁性体の使用量を可及的に少なくすることができる。
【００２２】
尚、マーク層６Ｃの表面をポリエチレン外被６の表面から窪んだ構造とすれば、ケーブル布設等の際にマーク層６Ｃがケーブル管路等と擦れることもない。
【００２３】
図３に示す第３の実施の形態に係る光ケーブル３０では、ポリエチレン外被６の表層部の長さ方向にポリエチレン外被６と異なる色彩のマーク層６ｄが埋め込まれている。
【００２４】
そして、ポリエチレン外被６の直下の前記マーク層６ｄと対向する位置には、磁気的に情報の記録できる磁気テープ７が長さ方向に設けられている。この磁気テープ７は、基材としてのＰＥＴテープの上に磁性体層が形成されており、この磁性体層は、ポリエチレン系のバインダーに第１の実施の形態で例示した磁性体が含有されている。尚、本実施の形態に係る光ケーブル３０では、金属体の遮蔽層を備えていないが、光ケーブルが金属体の遮蔽層を備えている場合には、磁気テープ７は金属体の遮蔽層の外側に設けられることとなる。
【００２５】
この光ケーブル３０によれば、磁気テープ７がポリエチレン外被６の内部に設けられているため、磁気テープ７が損傷を受けることがなく、また、マーク層６ｄと対向する位置に磁気テープ７が設けられているため、磁気テープ７の位置をケーブル外部から把握することができ、情報の記録及び読み出しに好都合である。
【００２６】
【発明の効果】
以上説明したように本発明によれば、光ケーブルに磁気的に情報の記録ができる機能を備えたため、各光ファイバの伝送損失データ等を布施現場で容易に記録及び読み出すことができ、従来必要とされていた手書きによるデータの記録作業や前回のデータを布設現場へ持参する必要がなくなり、作業性が極めて向上する。
【００２７】
また、記録されている情報の内容が目視で確認できないため、第三者が容易にアクセスすることもできず、ケーブル線路の保安の面からも好ましい。
【００２８】
請求項１に記載の発明によれば、外被を外層と内層の２層構造とし、外層に磁性体が含有されているため、外被を1層構造とし、その全体に磁性体が含有されている場合と比較して、磁性体の使用量を少なくすることができ、経済的である。
【００２９】
請求項２に記載の発明によれば、外被に設けられたマークに磁性体が含有されているため、外被のどの位置に記録できるかを容易に把握することができるとともに、外被の表層の一部のみに磁性体が含有され、外被の大部分は従来と同一の材料で構成されるため、外被の信頼性に影響を及ぼすこともなく、さらに、磁性体の使用量を可及的に少なくすることもできる。
【００３０】
請求項３に記載の発明によれば、外被の内部に記録媒体が設けられているため、記録媒体が損傷を受けることがなく、また、マークと対向する位置に記録媒体を設けたため、記録媒体の位置をケーブル外部から把握することができ、情報の記録及び読み出しに好都合である。
【図面の簡単な説明】
【図１】第１の実施の形態に係る光ケーブルの断面を示す模式図。
【図２】第２の実施の形態に係る光ケーブルの断面を示す模式図。
【図３】第３の実施の形態に係る光ケーブルの断面を示す模式図。
【符号の説明】
６………ポリエチレン外被
６ａ……外層
６ｃ……マーク層
６ｄ……マーク層
７………磁気テープ
１０……光ケーブル
【図１】
0003675674.tif 000002
【図２】
0003675674.tif 000003
【図３】
0003675674.tif 000004